(57)【特許請求の範囲】
【請求項１】
平面状のフェース面の下部に、突起部が設けられ、
該突起部の前面が平面状であり、かつ、前方上端縁はトウ側からヒール側にかけて線状となる角部を備え、
前記突起部を設けたフェース面の下部は、フェース面のうち、ソールから延在した前方下端縁から角部を成す突起部の前方上端縁の位置まで、立ち上がる所定の高さの部分であり、前記突起部の平面状の前面は、ソールから延在した前方下端縁から角部を成す突起部の前方上端縁の位置までの間に、凹状の部分を備えず、当該下部は、フェース面のうちトウ側端部からヒール側端部までを覆う範囲に、前記凹状の部分を備えずに設けられている構造であることを特徴とするゴルフ用パターヘッド。
【請求項２】
前記角部は、フェース面のトウ側端部からヒール側端部まで設けられたことを特徴とする請求項１に記載のゴルフ用パターヘッド。
【請求項３】
前記突起部の高さは、フェース面の高さの２／５以下であり、前記突起部の厚みは、１〜４ｍｍであることを特徴とする請求項１又は２に記載のゴルフ用パターヘッド。
【請求項４】
前記前方上端縁は、円弧状の曲線で、中央部の高さが端部より低いことを特徴とする請求項１〜３の何れかに記載のゴルフ用パターヘッド。
【請求項５】
パターヘッドの平面状のフェース面の下部に取り付けて使用する補助具であって、
前記補助具は、
前面が平面状であり、かつ、フェース面に取り付けた際に、前方上端縁においてトウ側からヒール側にかけて線状となる角部を備える、金属から成る突起状部材と、
前記突起状部材の後部に設けられた接着部から成り、
フェース面の当該下部は、フェース面のうち、ソールから延在した前方下端縁から角部を成す前記突起状部材の前方上端縁の位置まで、立ち上がる所定の高さの部分であり、
前記突起状部材の平面状の前面は、ソールから延在した前方下端縁から角部を成す突起状部材の前方上端縁の位置までの間に、凹状の部分を備えないことを特徴とするパターヘッド用補助具。
【請求項６】
前記前方上端縁は、円弧状の曲線で、中央部の高さが端部より低いことを特徴とする請求項５に記載のパターヘッド用補助具。
【発明の詳細な説明】
【技術分野】
【０００１】
本発明は、ゴルフ用パタークラブに関するものである。
【背景技術】
【０００２】
多くのゴルファーにとって、スコアアップは積年の課題である。中でもパットは、「パット・イズ・マネー」というゴルフの格言が存在するように、ゴルフにおいて極めて重要な要素であるといえる。なぜなら、ウッドで飛ばす３００ヤードの一打も、パターで打つ数十センチメートルの一打も同じ一打であるからである。そのため、パッティングに使用するパターについても、その構造次第では、ゴルファーのスコアを左右する重要な要素となり得る。
【０００３】
一般的なパターは、ヘッドに設けられた１面のフェース面でボールをインパクトする。インパクトの際、グリーンの下地が堅く、芝生の葉が倒れていると、ボールが芝生に沈まないので芝生の影響を受け難い。一方、下地が軟らかく、芝生の葉が立っていると、ボールが芝生に沈み易く、インパクト時に芝生の影響を受ける。芝生に沈んだボールをそのまま横から打てば何らかの芝生の抵抗を受けることになる。
【０００４】
従来から、芝目や凹凸の影響を低減し、距離のコントロールを容易にする技術としては、パターヘッドの打面を上部と下部の２つに分割し、下部の打面をソール部に対して略垂直に形成し、上部の打面を下部の打面よりも大きなロフト角に形成したパターヘッドが知られている（特許文献１を参照）。特許文献１に開示されたパターヘッドは、グリーン上のボールにつきパッティングを行う際に、ヘッドの下部の打面を用い、カラー上のボールを打ち出す際に、ヘッドの上部の打面を用いる。
しかしながら、上記特許文献１に開示されたパターヘッドは、グリーン上のボールをインパクトする際に、芝生の影響を受けずにインパクトするものではなく、また、カップまでの距離のコントロールを容易にするものではない。
【先行技術文献】
【特許文献】
【０００５】
【特許文献１】実開昭６０−７６９５９号公報
【発明の概要】
【発明が解決しようとする課題】
【０００６】
かかる状況に鑑みて、本発明は、ボールを少し浮かせてジャンプさせて、芝生を転がるカップまでの距離を短縮させることによって、芝目や凹凸の影響を低減でき、かつ距離のコントロールが容易で、しかも低コストで作製可能なゴルフ用パターヘッド及びパターヘッド用補助具を提供することを目的とする。
【課題を解決するための手段】
【０００７】
上記課題を解決すべく、本発明のゴルフ用パターヘッドは、フェース面の下部に、突起部が設けられ、該突起部の前方上端縁は、トウ側からヒール側にかけて線状となる角部を備えることを特徴とする。
突起部の前方上端縁に角部が設けられることにより、ボールを打つ際に、まず角部にボールが当たり、ボールを少し浮かせた状態で、フェース面にボールを当てることが可能になる。これにより、容易に芝目や凹凸の影響を低減することが可能となる。
すなわち、パターヘッドのフェース面の下部の突起部によって、芝生に沈んだボールを横からではなく、斜め上に向けてボールを打ち出すことができる。打ち出されたボールは、目的方向に無回転で移動し、その後、芝生に着地して正回転（順回転）が始まり芝生を転がる。その時、あたかもスキージャンプの着地のように直進性が増すことになる。芝生を転がるボールは、芝生の抵抗を受けて減速する。芝生に着地する際の抵抗によって、一般的なパッティングがされたボールよりも止まり易くなる。そして、目的のグリーン上のカップの位置付近で、ボールの加速を防ぎ、ボールのスピードが遅くなり、止まり易くなるため、カップインの確率が高くなるのである。
【０００８】
本発明のゴルフ用パターヘッドにおいて、角部は、フェース面のトウ側端部からヒール側端部まで設けられたことが好ましい。角部が、フェース面のトウ側端部からヒール側端部まで広く設けられることにより、打ち損じを防止しやすい構成とできる。
【０００９】
本発明のゴルフ用パターヘッドにおいて、突起部の高さは、フェース面の高さの２／５以下であり、突起部の厚みは、１〜４ｍｍであることが好ましい。突起部の高さ及び厚みが上記範囲とされることにより、効果的にボールを浮かせた後、フェース面でインパクトすることが可能となる。
また、突起部の高さは、５〜１３ｍｍであることでもよい。更に、突起部の高さは、５〜９ｍｍであり、かつ突起部の厚みは、２．５〜４ｍｍであることでもよい。また、突起部の高さは、９〜１３ｍｍであり、かつ突起部の厚みは、１〜２．５ｍｍであることでもよい。
【００１０】
本発明のゴルフ用パターヘッドにおいて、前方上端縁は、円弧状の曲線で、中央部の高さが端部より低いことでもよい。前方上端縁が円弧状の曲線で、中央部の高さが端部より低い形状とされることにより、トウ側でボールをインパクトした場合にはフックボールを打ちやすくなり、逆にヒール側でインパクトした場合にはスライスボールを打ちやすくなる。また、中央部でボールをインパクトした場合にボールが直進しやすくなる。このように、ストレート、フック、スライスの３種類の打ち分けが可能となる。
【００１１】
本発明のパターヘッド用補助具は、パターヘッドのフェース面の下部に取り付けて使用する補助具であって、補助具は、フェース面に取り付けた際に、前方上端縁においてトウ側からヒール側にかけて線状となる角部を備える突起状部材と、突起状部材の後部に設けられた接着部から成ることを特徴とする。
突起状部材の前方上端縁に角部が設けられることにより、ボールを打つ際に、まず角部にボールが当たり、ボールを少し浮かせた状態で、フェース面にボールを当てることが可能になる。これにより、容易に芝目や凹凸の影響を低減することが可能となる。
接着部においては、金属を接着可能な公知の接着剤を用いることが可能である。
【００１２】
本発明のパターヘッド用補助具において、前方上端縁は、円弧状の曲線で、中央部の高さが端部より低いことでもよい。上述の如く、前方上端縁が円弧状の曲線で、中央部の高さが端部より低い形状とされることにより、トウ側でボールをインパクトした場合にはフックボールを打ちやすくなり、逆にヒール側でインパクトした場合にはスライスボールを打ちやすくなり、また、中央部でボールをインパクトした場合にボールが直進しやすくなる。
【００１３】
本発明のパターヘッド用補助具において、突起状部材の厚みは、１〜４ｍｍであることが好ましい。突起状部材の厚みが上記範囲とされることにより、効果的にボールを浮かせた後、フェース面でインパクトすることが可能となる。
また、突起状部材の高さは、５〜１３ｍｍであることでもよい。更に、突起状部材の高さは、５〜９ｍｍであり、かつ突起状部材の厚みは、２．５〜４ｍｍであることでもよい。また、突起状部材の高さは、９〜１３ｍｍであり、かつ突起状部材の厚みは、１〜２．５ｍｍであることでもよい。
【発明の効果】
【００１４】
本発明のゴルフ用パターヘッド及びパターヘッド用補助具によれば、ボールを少し浮かせてジャンプさせて、芝生を転がるカップまでの距離を短縮させることによって、芝目や凹凸の影響を低減でき、かつ距離のコントロールが容易で、しかも低コストで作製可能であるといった効果がある。
【図面の簡単な説明】
【００１５】
【図１】実施例１のパタークラブの斜視図
【図２】実施例１のパターヘッドの斜視図
【図３】実施例１のパターヘッドの右側面図
【図４】実施例１のパターヘッドの使用イメージ図１
【図５】実施例１のパターヘッドの使用イメージ図２
【図６】実施例１のパターヘッドの突起部の説明図
【図７】実施例１のパターヘッドの正面図
【図８】実施例２のパターヘッド用補助具の取付イメージ図
【図９】実施例２のパターヘッド用補助具の突起状部材の説明図
【発明を実施するための最良の形態】
【００１６】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００１７】
図１は、実施例１のパタークラブの斜視図を示している。図１に示すように、パター１００は、パターヘッド１、シャフト７及びグリップ６から成り、シャフト７の一端にはパターヘッド１が取り付けられ、他端にはグリップ６が取り付けられている。
プレーヤー（図示せず）は、グリップ６を把持して、パターヘッド１に設けられたフェース面５を利用してパッティングを行う。
【００１８】
図２は、実施例１のパターヘッドの斜視図を示している。図２に示すように、パターヘッド１は、フェース部２、突起部３及びキャビティ部４から成り、パターヘッド１はシャフト７に取り付けられている。シャフト７の位置は、本実施例で示す位置に限られず、例えば、よりヒール側端部５０ｂに近づけた位置に取り付けてもよい。突起部３はフェース面５の下部に設けられており、フェース面５のトウ側端部５０ａからヒール側端部５０ｂまでの下部を覆うように、トウ側端部３０ａからヒール側端部３０ｂまで設けられている。また、角部３１についても、トウ側端部３０ａからヒール側端部３０ｂまで設けられている。
【００１９】
図３は、実施例１のパターヘッドの右側面図を示している。図３に示す突起部３の高さＨ１とキャビティ部４の高さＨ１は何れも１０ｍｍであり、フェース面５の高さＨ２は１８ｍｍである。したがって、突起部３の高さは、ソールからのフェース面５の高さの２／５以下となっている。また、突起部３の厚みＴ１は１．５ｍｍであり、フェース部２の厚みＴ２は６ｍｍである。図３に示すように、突起部３の前方上端縁には角部３１が形成されているため、角部３１を利用したパッティングが可能となる。角部３１を利用したパッティングについて、図４及び５を参照しながら説明する。
【００２０】
図４は、実施例１のパターヘッドの使用イメージ図であり、（１）はボールが角部に当接した状態、（２）はボールがフェース面に当接した状態を示している。図４（１）に示すように、パターヘッド１を矢印１０ａの示す方向に移動させ、グリーン１１上のゴルフボール８をインパクトした場合、パターヘッド１には突起部３が設けられ、突起部３の前方上端縁には角部３１が設けられているため、角部３１に当たったゴルフボール８は、矢印１０ｂに示すように、グリーン１１から浮き上がり、ヘッドのフェース面で斜め上前方に打ち出されることとなる。すなわち、図４（２）に示すように、ゴルフボール８が、グリーン１１から少し浮き上がった状態で、パターヘッド１を矢印１０ａの示す方向にさらに移動させることにより、ゴルフボール８は、フェース部２のフェース面５に当たり、フェース面５に当たったゴルフボール８は、矢印１０ｃに示すように、無回転に近い状態で、斜め上前方に押し出されるようにジャンプすることとなる。
【００２１】
図５は、実施例１のパターヘッドの使用イメージ図を示している。図５では、打ち出し前のゴルフボール８は、平坦部１２ａに置かれているが、カップ１３までの間に、凹凸部１２ｂと、更に平坦部１２ａが存在する状態となっている。したがって、プレーヤーは、凹凸部１２ｂを省略して、ラインを読むことができれば、プレーの難易度を下げることが可能である。
図４で説明したように、パターヘッド１のフェース面の下部の突起部によって、斜め上に向けて打ち出したゴルフボール８は、矢印１０ｄに示すように、無回転又は無回転に近い状態で凹凸部１２ｂを飛び越えて、芝生の平坦部１２ａに着地させることができる。平坦部１２ａに着地したゴルフボール８は、芝生の抵抗で正回転（順回転）が始まり、スキージャンプの着地のように直進性が増す。平坦部１２ａに着地したゴルフボール８は、矢印１０ｅに示すように平坦部１２ａを転がって、芝生の抵抗を受けて減速する。目的のグリーン上のカップ１３の位置付近で、ボールの加速を防ぎ、ボールのスピードが遅くなる。芝生に着地する際の抵抗によって、一般的なパッティングがされたボールよりも止まり易くなり、矢印１０ｆに示すようにカップ１３に入り易くなる。ここで、凹凸部１２ｂを例に説明したが、凹凸部１２ｂが平坦な芝生であったとしても、ボールを少し浮かせてジャンプさせて、芝生を転がるカップまでの距離を短縮させることによって、芝目の影響を低減でき、カップインの確率を高めることができる。
【００２２】
凹凸部１２ｂを飛び越えて、平坦部１２ａに着地させるという点では、公知のチッパー等を利用することも可能ではあるが、チッパーの場合は、＋３５〜＋４５°のロフト角が設けられており、ゴルフボール８を浮かせるために有用ではあるが、平坦部１２ａに着地したゴルフボール８の転がりが悪く、カップの手前で止まってしまいやすいという問題がある。また、一般的なパターを用いて、凹凸部１２ｂを考慮して、強めにインパクトするという方法は、距離のコントロールが難しく、弱すぎると凹凸部１２ｂの影響により、カップよりかなり手前でゴルフボール８が止まってしまい、逆に強すぎるとカップをオーバーしてしまうという問題がある。
これに対して、実施例１のパターヘッド１では、角部３１により少し浮き上がった状態で、フェース面５に当たったゴルフボール８は、無回転に近い状態で、斜め上前方に押し出されるようにジャンプすることとなるため、平坦部１２ａに着地後のゴルフボール８の転がり方が、凹凸部１２ｂを飛び越えない場合と近い転がり方となり、距離感がつかみやすいという利点がある。
【００２３】
図６は、実施例１のパターヘッドの突起部の説明図を示している。図６（１）〜（３）は、それぞれ突起部の形状が異なるのみであり、使用する素材等は同一である。図３において突起部３の高さＨ１は１０ｍｍ、厚みＴ１は１．５ｍｍであると説明したが、かかるサイズには限定されず、例えば、図６（１）に示すように、高さをより低く設け、厚みをより厚く設けることも可能であるし、これとは逆に、図６（３）に示すように、高さをより高く設け、厚みをより薄く設けることも可能である。具体的には、図６（１）に示すパターヘッド１ａに設けられる突起部３ａの高さＨ３は５ｍｍ、厚みＴ３は４ｍｍである。図６（２）に示すパターヘッド１ｂに設けられる突起部３ｂの高さＨ４は９ｍｍ、厚みＴ４は２．５ｍｍである。図６（３）に示すパターヘッド１ｃに設けられる突起部３ｃの高さＨ５は１３ｍｍ、厚みＴ５は１ｍｍである。また、ここで示す例以外にも、突起部３の高さを５〜９ｍｍ、厚みを２．５〜４ｍｍの範囲とし、高さを高く設けるに連れて厚みを薄く設けることでもよい。同様に、高さを９〜１３ｍｍ、厚みを１〜２．５ｍｍの範囲とし、高さを高く設けるに連れて厚みを薄く設けることでもよい。
【００２４】
図７は、実施例１のパターヘッドの正面図であり、（１）は前方上端縁が一直線状、（２）は前方上端縁が円弧状の曲線の場合を示している。図７（１）に示すように、パターヘッド１では、突起部３の角部３１は、トウ側端部３０ａからヒール側端部３０ｂにかけて、高さＨ１は一定であり、一直線状に略水平に設けられている。かかる形状とすることにより、トウ側端部３０ａからヒール側端部３０ｂまでのどの位置でゴルフボール８をインパクトしても同じような転がり方をするため、クラブの扱いが容易となっている。
【００２５】
かかる構成とは異なり、図７（２）に示すように、前方上端縁は、円弧状の曲線で、中央部の高さが端部より低い形状でもよい。図７（２）に示すように、パターヘッド１ｄでは、突起部３ｄの角部３１ｄは、トウ側端部３０ａ及びヒール側端部３０ｂの高さＨ１よりも中央部３０ｄの高さＨ９が低く設けられている。これにより、トウ側でボールをインパクトした場合にはフックボールを打ちやすくなり、逆にヒール側でインパクトした場合にはスライスボールを打ちやすくなる。また、中央部３０ｄでボールをインパクトした場合にはストレートボールを打ちやすくなり、３種類の打ち分けが可能となっている。
【実施例２】
【００２６】
図８は、実施例２のパターヘッド用補助具の取付イメージ図を示している。図８に示すように、パターヘッド１４のフェース面５１の下部には、パターヘッド用補助具９が取り付けられている。また、パターヘッド１４はシャフト７に取り付けられている。
パターヘッド用補助具９は、図８に示す突起状部材と、接着剤（図示せず）で構成される。突起状部材の材質は、硬質の金属であることが好ましい。パターヘッド用補助具９は、フェース面５１の下部に取り付けられており、フェース面５１のトウ側端部５１ａからヒール側端部５１ｂまでの下部を覆うように、トウ側端部９０ａからヒール側端部９０ｂまで設けられている。また、角部９１は、フェース面に取り付けた際に、前方上端縁においてトウ側からヒール側に向けて線状となるように設けられ、本実施例ではトウ側端部９０ａからヒール側端部９０ｂまで設けられている。パターヘッド用補助具９とパターヘッド１４は、公知の接着剤により固定されている。
【００２７】
図９は、実施例２のパターヘッド用補助具の突起状部材の説明図を示している。図９（１）〜（３）は、それぞれ突起状部材の形状が異なるのみであり、使用する素材や接着剤等は同一である。図９（１）に示すパターヘッド用補助具９ａの高さＨ６は５ｍｍ、厚みＴ６は４ｍｍである。図９（２）に示すパターヘッド用補助具９ｂの高さＨ７は９ｍｍ、厚みＴ７は２．５ｍｍである。図９（３）に示すパターヘッド用補助具９ｃの高さＨ８は１３ｍｍ、厚みＴ８は１ｍｍである。また、ここで示す例以外にも、パターヘッド用補助具９の高さを５〜９ｍｍ、厚みを２．５〜４ｍｍの範囲とし、高さを高く設けるに連れて厚みを薄く設けることでもよい。同様に、高さを９〜１３ｍｍ、厚みを１〜２．５ｍｍの範囲とし、高さを高く設けるに連れて厚みを薄く設けることでもよい。
なお、パターヘッド用補助具（９ａ〜９ｃ）は、何れもパターヘッド１４のソールに合わせるように貼り付けているが、必要に応じて、貼り付ける高さを適宜調整してもよい。
【産業上の利用可能性】
【００２８】
本発明は、ゴルフ用のパタークラブに利用可能である。
【符号の説明】
【００２９】
１，１ａ〜１ｄ，１４  パターヘッド
２  フェース部
３，３ａ〜３ｄ  突起部
４  キャビティ部
５，５１  フェース面
６  グリップ
７  シャフト
８  ゴルフボール
９，９ａ〜９ｃ  パターヘッド用補助具
１０ａ〜１０ｆ  矢印
１１  グリーン
１２ａ  平坦部
１２ｂ  凹凸部
１３  カップ
３０ａ，５０ａ，５１ａ，９０ａ  トウ側端部
３０ｂ，５０ｂ，５１ｂ，９０ｂ  ヒール側端部
３０ｃ，３０ｄ  中央部
３１，３１ｄ，９１  角部
９１  角部
１００  パタークラブ
Ｈ  高さ
Ｔ  厚み
【要約】
【課題】ボールを少し浮かせてジャンプさせて、芝生を転がるカップまでの距離を短縮させることによって、芝目や凹凸の影響を低減でき、かつ距離のコントロールが容易で、しかも低コストで作製可能なゴルフ用パターヘッド及びパターヘッド用補助具を提供する。
【解決手段】ゴルフ用パターヘッドは、フェース面の下部に、突起部が設けられ、該突起部の前方上端縁は、トウ側からヒール側に向けて線状となる角部を備える。角部は、フェース面のトウ側端部からヒール側端部まで設けられる。パターヘッド用補助具は、パターヘッドのフェース面の下部に取り付けて使用する補助具であって、フェース面に取り付けた際に、前方上端縁においてトウ側からヒール側に向けて線状となる角部を備える突起状部材と、突起状部材の後部に設けられた接着部から成る。
【選択図】図２【図１】
0006762633.tif 000002
【図２】
0006762633.tif 000003
【図３】
0006762633.tif 000004
【図４】
0006762633.tif 000005
【図５】
0006762633.tif 000006
【図６】
0006762633.tif 000007
【図７】
0006762633.tif 000008
【図８】
0006762633.tif 000009
【図９】
0006762633.tif 000010